(57)【特許請求の範囲】
【請求項１】
画像形成出力を実行する画像形成装置の状態を、記録媒体上に画像形成出力された画像を読み取った読取画像に基づいて判断する画像処理装置であって、
前記読取画像及び前記読取画像に対応する確認用画像を取得する情報取得部と、
前記確認用画像における所定範囲の画像を解析単位として取得し、前記解析単位に含まれる画素のうち、有色と判定された画素に隣接していて且つ無地と判定された画素の数をカウントして有色画素に隣接する無地画素の数に応じた値である隣接値を算出する隣接値算出部と、
前記隣接値の算出された解析単位の所定範囲の画像と位置合わせされた読取画像における所定範囲の画像を解析単位として取得し、前記解析単位に含まれる画素の画素値に基づいて前記解析単位における濃度に関する情報である濃度値を生成する濃度値算出部と、
前記確認用画像に含まれる複数の前記所定範囲の画像について、前記隣接値及び濃度値の組を夫々取得する解析値取得部と、
網点階調を解析可能な画像を含む所定の画像についての網点階調の解析結果による階調特性の変化と、上述した前記隣接値及び濃度値の組における前記濃度値の変化との相関関係を示す情報に基づき、前記隣接値及び濃度値の組に基づいて階調特性の変化を推定する状態変化推定部とを含むことを特徴とする画像処理装置。
【請求項２】
前記隣接値算出部は、有色と判定された画素に隣接していて且つ無地と判定された画素の数のカウント値と、前記解析単位に含まれる有色画素の数のカウント値とに基づいて前記隣接値を算出することを特徴とする請求項１に記載の画像処理装置。
【請求項３】
前記隣接値算出部は、有色と判定された画素に隣接していて且つ無地と判定された画素の数のカウント値を、前記解析単位に含まれる有色画素の数のカウント値で割ることによって前記隣接値を算出することを特徴とする請求項２に記載の画像処理装置。
【請求項４】
前記濃度値算出部は、前記解析単位に含まれる画素の画素値を合計することにより前記濃度値を求めることを特徴とする請求項１乃至３いずれか１項に記載の画像処理装置。
【請求項５】
前記相関関係を示す情報を生成する相関関係解析部を含み、
前記相関関係解析部は、
網点階調を解析可能な画像を含む所定の画像についての網点階調の解析結果による階調特性の変化として、網点率に応じた階調値の変化量を複数の網点率について平均した値を、前記画像形成装置の経時変化に応じて取得し、
上述した前記隣接値及び濃度値の組における前記濃度値の変化として、前記隣接値に応じた濃度値の変化量を複数の隣接値について平均した値を、前記画像形成装置の経時変化に応じて取得し、
夫々の経時変化の相関関係を示す情報を生成することを特徴とする請求項１乃至４いずれか１項に記載の画像処理装置。
【請求項６】
前記相関関係を示す情報は、網点階調を解析可能な画像を含む所定の画像についての網点階調の解析結果による階調特性の変化と、上述した前記隣接値及び濃度値の組における前記濃度値の変化との相関関係の近似式であることを特徴とする請求項１乃至５いずれか１項に記載の画像処理装置。
【請求項７】
紙面上に画像形成出力された画像を読み取った読取画像の検査を、前記読取画像に対応した画像の画像形成出力に際して画像形成装置において用いられた画像に基づいて生成された確認用画像との比較により行う画像検査装置であって、請求項１乃至６いずれか１項に記載の画像処理装置を含むことを特徴とする画像検査装置。
【請求項８】
記録媒体上に画像形成出力された画像を読み取った読取画像に基づいて画像形成出力を実行する画像形成装置の状態を判断する画像処理方法であって、
前記読取画像及び前記読取画像に対応する確認用画像を取得し、
前記確認用画像における所定範囲の画像を解析単位として取得し、前記解析単位に含まれる画素のうち、有色と判定された画素に隣接していて且つ無地と判定された画素の数をカウントして有色画素に隣接する無地画素の数に応じた値である隣接値を算出し、
前記隣接値の算出された解析単位の所定範囲の画像と位置合わせされた読取画像における所定範囲の画像を解析単位として取得し、前記解析単位に含まれる画素の画素値に基づいて前記解析単位における濃度に関する情報である濃度値を生成し、
前記確認用画像に含まれる複数の前記所定範囲の画像について、前記隣接値及び濃度値の組を夫々取得し、
網点階調を解析可能な画像を含む所定の画像についての網点階調の解析結果による階調特性の変化と、上述した前記隣接値及び濃度値の組における前記濃度値の変化との相関関係を示す情報に基づき、前記隣接値及び濃度値の組に基づいて階調特性の変化を推定することを特徴とする画像処理方法。
【請求項９】
記録媒体上に画像形成出力された画像を読み取った読取画像に基づいて画像形成出力を実行する画像形成装置の状態を判断する画像処理プログラムであって、
前記読取画像及び前記読取画像に対応する確認用画像を取得するステップと、
前記確認用画像における所定範囲の画像を解析単位として取得し、前記解析単位に含まれる画素のうち、有色と判定された画素に隣接していて且つ無地と判定された画素の数をカウントして有色画素に隣接する無地画素の数に応じた値である隣接値を算出するステップと、
前記隣接値の算出された解析単位の所定範囲の画像と位置合わせされた読取画像における所定範囲の画像を解析単位として取得し、前記解析単位に含まれる画素の画素値に基づいて前記解析単位における濃度に関する情報である濃度値を生成するステップと、
前記確認用画像に含まれる複数の前記所定範囲の画像について、前記隣接値及び濃度値の組を夫々取得するステップと、
網点階調を解析可能な画像を含む所定の画像についての網点階調の解析結果による階調特性の変化と、上述した前記隣接値及び濃度値の組における前記濃度値の変化との相関関係を示す情報に基づき、前記隣接値及び濃度値の組に基づいて階調特性の変化を推定するステップとを情報処理装置に実行させることを特徴とする画像処理プログラム。
【発明の詳細な説明】
【技術分野】
【０００１】
本発明は、画像処理装置、画像検査装置、画像処理方法及び画像処理プログラムに関する。
【背景技術】
【０００２】
従来、印字品質を評価することにより、装置の階調特性の経時変化を判断する方法が用いられている（例えば、特許文献１参照）。特許文献１に開示された技術においては、印刷物の撮像結果における各画素の反射強度を三段階以上の濃淡階調に分類し、各反射濃度に対する画素数のヒストグラムに基づいて印刷品質を評価している。
【発明の概要】
【発明が解決しようとする課題】
【０００３】
特許文献１に開示された技術においては、網点画像であるパッチが複数配置されて構成される所定パターンの印刷された対象物に対して光線を照射し、その反射光の受光強度に基づいて処理を行っている。このような構成は、網点画像によって構成されたパッチが光線の露光スポットよりも広い範囲を有し、網点画像の濃淡階調を取得することが前提となっている。
【０００４】
従って、画像形成装置を通常動作させている場合において、出力される印刷物に描画される画像が、線によって描画された図形や文字等のまとまった印字範囲の狭い線画が主となる場合には、露光スポットが網点画像の印字範囲を超えてしまう場合が多くなる。その結果、印字範囲の反射光強度を適切に取得することができず、網点画像の濃淡階調を取得することができない。その結果、装置の階調特性を正確に判断することができない。
【０００５】
本発明は上記実情に鑑みてなされたものであり、出力される印刷物が線画主体の場合であっても、出力結果に基づいて装置の階調特性を正確に推定することを目的とする。
【課題を解決するための手段】
【０００６】
上記課題を解決するために、本発明の一態様は、画像形成出力を実行する画像形成装置の状態を、記録媒体上に画像形成出力された画像を読み取った読取画像に基づいて判断する画像処理装置であって、前記読取画像及び前記読取画像に対応する確認用画像を取得する情報取得部と、前記確認用画像における所定範囲の画像を解析単位として取得し、前記解析単位に含まれる画素のうち、有色と判定された画素に隣接していて且つ無地と判定された画素の数をカウントして有色画素に隣接する無地画素の数に応じた値である隣接値を算出する隣接値算出部と、前記隣接値の算出された解析単位の所定範囲の画像と位置合わせされた読取画像における所定範囲の画像を解析単位として取得し、前記解析単位に含まれる画素の画素値に基づいて前記解析単位における濃度に関する情報である濃度値を生成する濃度値算出部と、前記確認用画像に含まれる複数の前記所定範囲の画像について、前記隣接値及び濃度値の組を夫々取得する解析値取得部と、網点階調を解析可能な画像を含む所定の画像についての網点階調の解析結果による階調特性の変化と、上述した前記隣接値及び濃度値の組における前記濃度値の変化との相関関係を示す情報に基づき、前記隣接値及び濃度値の組に基づいて階調特性の変化を推定する状態変化推定部とを含むことを特徴とする。
【発明の効果】
【０００７】
本発明によれば、出力される印刷物が線画主体の場合であっても、出力結果に基づいて装置の階調特性を正確に推定することができる。
【図面の簡単な説明】
【０００８】
【図１】本発明の実施形態に係る検査装置を含む画像形成システムの構成を示す図である。
【図２】本発明の実施形態に係る検査装置のハードウェア構成を示すブロック図である。
【図３】本発明の実施形態に係るＤＦＥ、エンジンコントローラ、プリントエンジン、検査装置の機能構成を示すブロック図である。
【図４】本発明の実施形態に係る比較検査の態様を示す図である。
【図５】本発明の実施形態に係るプリントエンジンの構成を示す図である。
【図６】本発明の実施形態に係るマスター画像処理部の機能構成を示すブロック図である。
【図７】本発明の実施形態に係る検査制御部の機能構成を示す図である。
【図８】本発明の実施形態に係る検査動作を示すフローチャートである。
【図９】本発明の実施形態に係る階調特性判定部の機能構成を示すブロック図である。
【図１０】本発明の実施形態に係る隣接率算出処理の態様を示す図である。
【図１１】本発明の実施形態に係る隣接率算出処理の態様を示す図である。
【図１２】本発明の実施形態に係る隣接率算出処理の態様を示す図である。
【図１３】本発明の実施形態に係る擬似階調パラメータの算出動作を示すフローチャートである。
【図１４】網点階調値及び擬似階調値の経時変化態様を示す図である。
【図１５】網点階調値及び擬似階調値の経時変化態様を示す図である。
【図１６】網点階調値、疑似階調値の相関関係を示す図である。
【発明を実施するための形態】
【０００９】
以下、図面を参照して、本発明の実施形態を詳細に説明する。本実施形態においては、画像形成出力による出力結果を読み取った読取画像とマスター画像とを比較することにより出力結果を検査する検査装置を含む画像検査システムを例として説明する。そのようなシステムにおいて、出力される画像が線画主体の場合であっても、印刷出力の結果に基づいて装置の階調特性の経時変化を推定することが本実施形態に係る特徴である。図１は、本実施形態に係る画像形成システムの全体構成を示す図である。
【００１０】
図１に示すように、本実施形態に係る画像形成システムは、ＤＦＥ（Ｄｉｇｉｔａｌ  Ｆｒｏｎｔ  Ｅｎｄ）１、エンジンコントローラ２、プリントエンジン３、検査装置４及びインタフェース端末５を含む。ＤＦＥ１は、受信した印刷ジョブに基づいて印刷出力するべき画像データ、即ち出力対象画像であるビットマップデータを生成し、生成したビットマップデータをエンジンコントローラ２に出力する画像処理装置である。
【００１１】
エンジンコントローラ２は、ＤＦＥ１から受信したビットマップデータに基づいてプリントエンジン３を制御して画像形成出力を実行させる。また、エンジンコントローラ２は、ＤＦＥ１から受信したビットマップデータを、プリントエンジン３による画像形成出力の結果を検査装置４が検査する際に参照するための検査用画像の元となる情報として検査装置４に送信する。
【００１２】
プリントエンジン３は、エンジンコントローラ２の制御に従い、ビットマップデータに基づいて記録媒体である用紙に対して画像形成出力を実行する画像形成装置である。尚、記録媒体としては、上述した用紙の他、フィルム、プラスチック等のシート状の材料で、画像形成出力の対象物となるものであれば採用可能である。
【００１３】
検査装置４は、エンジンコントローラ２から入力されたビットマップデータに基づいてマスター画像を生成する。そして、検査装置４は、プリントエンジン３が出力した用紙を読取装置で読み取って生成した読取画像を上記生成したマスター画像と比較することにより、出力結果の検査を行う画像検査装置である。
【００１４】
検査装置４は、出力結果に欠陥があると判断した場合、欠陥として判定されたページを示す情報をエンジンコントローラ２に通知する。これにより、エンジンコントローラ２によって欠陥ページの再印刷制御が実行される。
【００１５】
また、本実施形態に係る検査装置４は、読取画像を解析することにより、プリントエンジン３によって記録媒体上に形成される画像の階調特性を判断する機能を有する。そのような階調特性の判断機能において、プリントエンジン３によって出力される画像が線によって描画された図形や文字等、まとまった印字範囲の狭い線画が主となる場合に対応した機能が、本実施形態に係る要旨の１つである。
【００１６】
インタフェース端末５は、検査装置４による欠陥判定結果を確認するためのＧＵＩ（Ｇｒａｐｈｉｃａｌ  Ｕｓｅｒ  Ｉｎｔｅｒｆａｃｅ）や、検査におけるパラメータを設定するためのＧＵＩを表示するための情報処理端末であり、ＰＣ（Ｐｅｒｓｏｎａｌ  Ｃｏｍｐｕｔｅｒ）等の一般的な情報処理端末によって実現される。
【００１７】
ここで、本実施形態に係るＤＦＥ１、エンジンコントローラ２、プリントエンジン３、検査装置４及びインタフェース端末５を構成するハードウェアについて、図２を参照して説明する。図２は、本実施形態に係る検査装置４のハードウェア構成を示すブロック図である。図２においては、検査装置４のハードウェア構成を示すが、他の装置についても同様である。
【００１８】
図２に示すように、本実施形態に係る検査装置４は、一般的なＰＣ（Ｐｅｒｓｏｎａｌ  Ｃｏｍｐｕｔｅｒ）やサーバ等の情報処理装置と同様の構成を有する。即ち、本実施形態に係る検査装置４は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０にはＬＣＤ（Ｌｉｑｕｉｄ  Ｃｒｙｓｔａｌ  Ｄｉｓｐｌａｙ）６０、操作部７０及び専用デバイス８０が接続されている。
【００１９】
ＣＰＵ１０は演算手段であり、検査装置４全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納されている。
【００２０】
Ｉ／Ｆ５０は、バス９０と各種のハードウェアやネットワーク等を接続し制御する。ＬＣＤ６０は、ユーザが検査装置４の状態を確認するための視覚的ユーザインタフェースである。操作部７０は、キーボードやマウス等、ユーザが検査装置４に情報を入力するためのユーザインタフェースである。
【００２１】
専用デバイス８０は、エンジンコントローラ２、プリントエンジン３及び検査装置４において、専用の機能を実現するためのハードウェアであり、プリントエンジン３の場合は、画像形成出力対象の用紙を搬送する搬送機構や、紙面上に画像形成出力を実行するプロッタ装置である。また、エンジンコントローラ２、検査装置４の場合は、高速に画像処理を行うための専用の演算装置である。このような演算装置は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として構成される。また、紙面上に出力された画像を読み取る読取装置も、専用デバイス８０によって実現される。
【００２２】
このようなハードウェア構成において、ＲＯＭ３０に格納されているプログラムや、ＨＤＤ４０若しくは図示しない光学ディスク等の記録媒体からＲＡＭ２０に読み出されたプログラムに従ってＣＰＵ１０が演算を行うことにより、ソフトウェア制御部が構成される。このようにして構成されたソフトウェア制御部と、ハードウェアとの組み合わせによって、本実施形態に係るＤＦＥ１、エンジンコントローラ２、プリントエンジン３、検査装置４及びインタフェース端末５の機能を実現する機能ブロックが構成される。
【００２３】
図３は、本実施形態に係るＤＦＥ１、エンジンコントローラ２、プリントエンジン３及び検査装置４の機能構成を示すブロック図である。図３においては、データの送受信を実線で、用紙の流れを破線で示している。図３に示すように、本実施形態に係るＤＦＥ１は、ジョブ情報処理部１０１及びＲＩＰ処理部１０２を含む。また、エンジンコントローラ２は、データ取得部２０１、エンジン制御部２０２、ビットマップ送信部２０３を含む。また、プリントエンジン３は、印刷処理部３０１を含む。また、検査装置４は、読取装置４００、読取画像取得部４０１、マスター画像処理部４０２、検査制御部４０３及び比較検査部４０４を含む。
【００２４】
ジョブ情報処理部１０１は、ＤＦＥ１外部からネットワークを介して入力される印刷ジョブや、オペレータの操作によりＤＦＥ１内部に格納された画像データに基づいて生成される印刷ジョブに基づき、画像形成出力の実行を制御する。画像形成出力の実行に際して、ジョブ情報処理部１０１は、印刷ジョブに含まれる画像データに基づき、ＲＩＰ処理部１０２にビットマップデータを生成させる。
【００２５】
ＲＩＰ処理部１０２は、ジョブ情報処理部１０１の制御に従い、印刷ジョブに含まれる画像データに基づいてプリントエンジン３が画像形成出力を実行するためのビットマップデータを生成する。ビットマップデータは、画像形成出力するべき画像を構成する各画素の情報である。
【００２６】
本実施形態に係るプリントエンジン３は、ＣＭＹＫ（Ｃｙａｎ，Ｍａｇｅｎｔａ，Ｙｅｌｌｏｗ，ｂｌａｃＫ）各色二値の画像に基づいて画像形成出力を実行する。これに対して、一般的に、印刷ジョブに含まれる画像のデータは、一画素が２５６階調等の多階調で表現された多値画像である。そのため、ＲＩＰ処理部１０２は、印刷ジョブに含まれる画像データを多値画像から少値画像に変換して、ＣＭＹＫ各色二値のビットマップデータを生成し、エンジンコントローラ２に送信する。
【００２７】
データ取得部２０１は、ＤＦＥ１から入力されるビットマップデータを取得し、エンジン制御部２０２及びビットマップ送信部２０３夫々を動作させる。エンジン制御部２０２は、データ取得部２０１から転送されたビットマップデータに基づき、プリントエンジン３に画像形成出力を実行させる。ビットマップ送信部２０３は、データ取得部２０１が取得したビットマップデータを、マスター画像生成の為に検査装置４に送信する。
【００２８】
印刷処理部３０１は、エンジンコントローラ２から入力されるビットマップデータを取得し、印刷用紙に対して画像形成出力を実行し、印刷済みの用紙を出力する画像形成部である。本実施形態に係る印刷処理部３０１は、電子写真方式の一般的な画像形成機構によって実現されるが、インクジェット方式等の他の画像形成機構を用いることも可能である。
【００２９】
読取装置４００は、印刷処理部３０１によって印刷が実行されて出力された印刷用紙の紙面上に形成された画像を読み取り、読取画像を出力する画像読取部である。読取装置４００は、例えば印刷処理部３０１によって出力された印刷用紙の、検査装置４内部における搬送経路に設置されたラインスキャナであり、搬送される印刷用紙の紙面上を走査することによって紙面上に形成された画像を読み取る。
【００３０】
読取装置４００によって生成された読取画像が検査装置４による検査の対象となる。読取画像は、画像形成出力によって出力された用紙の紙面を読み取って生成された画像であるため、出力結果を示す画像となる。読取画像取得部４０１は、印刷用紙の紙面が読取装置４００によって読み取られて生成された読取画像の情報を取得する。読取画像取得部４０１が取得した読取画像の情報は、比較検査のために比較検査部４０４に入力される。尚、比較検査部４０４への読取画像の入力は検査制御部４０３の制御によって実行される。その際、検査制御部４０３が読取画像を取得してから比較検査部４０４に入力する。
【００３１】
マスター画像処理部４０２は、上述したようにエンジンコントローラ２から入力されたビットマップデータを取得し、上記検査対象の画像と比較するための検査用画像であるマスター画像を生成する。即ち、マスター画像処理部４０２が、読取画像の検査を行うための確認用画像であるマスター画像を出力対象画像に基づいて生成する検査用画像生成部として機能する。マスター画像処理部４０２によるマスター画像の生成処理については後に詳述する。
【００３２】
検査制御部４０３は、検査装置４全体の動作を制御する制御部であり、検査装置４に含まれる各構成は検査制御部４０３の制御に従って動作する。比較検査部４０４は、読取画像取得部４０１から入力される読取画像とマスター画像処理部４０２が生成したマスター画像とを比較し、意図した通りの画像形成出力が実行されているか否かを判断する。比較検査部４０４は、膨大な計算量を迅速に処理するために上述したＡＳＩＣによって構成される。本実施形態においては、検査制御部４０３が、比較検査部４０４を制御することによって画像検査部として機能すると共に、比較検査部４０４による検査結果を取得する検査結果取得部として機能する。
【００３３】
比較検査部４０４においては、上述したようにＲＧＢ各色８ｂｉｔで表現された２００ｄｐｉの読取画像及びマスター画像を対応する画素毎に比較し、夫々の画素毎に上述したＲＧＢ各色８ｂｉｔの画素値の差分値を算出する。そのようにして算出した差分値と閾値との大小関係に基づき、検査制御部４０３は、読取画像における欠陥の有無を判断する。即ち、検査制御部４０３が検査装置４に含まれる各部を制御することにより画像検査部として機能する。
【００３４】
尚、読取画像とマスター画像との比較に際して、比較検査部４０４は、図４に示すように、所定範囲毎に分割されたマスター画像を、分割された範囲に対応する読取画像に重ね合わせて各画素の画素値、即ち濃度の差分算出を行う。このような処理は、検査制御部４０３が、重ね合わせる範囲の画像をマスター画像及び読取画像夫々から取得し、比較検査部４０４に入力することによって実現される。
【００３５】
更に、検査制御部４０３は、分割された範囲を読取画像に重ね合わせる位置を縦横にずらしながら、即ち、読取画像から取得する画像の範囲を縦横にずらしながら、算出される差分値の合計値が最も小さくなる位置を正確な重ね合わせの位置として決定すると共に、その際に算出された各画素の差分値を比較結果として採用する。そのため、比較検査部４０４は、各画素の差分値と共に、位置合わせの位置として決定した際の縦横のずれ量を出力することが可能である。
【００３６】
図４に示すように方眼状に区切られている夫々のマスが、上述した各画素の差分値を合計する所定範囲である。また、図４に示す夫々の分割範囲のサイズは、例えば、上述したようにＡＳＩＣによって構成される比較検査部４０４が一度に画素値の比較を行うことが可能な範囲に基づいて決定される。
【００３７】
このような処理により、読取画像とマスター画像とが位置合わせされた上で差分値が算出される。このように算出された差分値が所定の閾値と比較されることにより、画像の欠陥が判定される。また、例えば、読取画像全体とマスター画像全体とで縮尺に差異があったとしても、図４に示すように範囲毎に分割して位置合わせを行うことにより、縮尺の際による影響を低減することが可能となる。
【００３８】
また、図４に示すように分割された夫々の範囲において、隣接する範囲の位置ずれ量は比較的近いことが予測される。従って、分割された夫々の範囲についての比較検査を行う際、隣接する領域の比較検査によって決定された位置ずれ量を中心として上述した縦横にずらしながらの計算を行うことにより、縦横にずらしながら計算を行う回数を少なくしても、正確な重ね合わせ位置による計算が実行される可能性が高く、全体として計算量を減らすことが出来る。
【００３９】
また、本実施形態に係る検査制御部４０３は、上述したように、読取画像を解析することによってプリントエンジン３の階調特性を判断する。この機能については後に詳述する。
【００４０】
次に、プリントエンジン３及び検査装置４の機械的な構成及び用紙の搬送経路について、図５を参照して説明する。図５に示すように、本実施形態に係るプリントエンジン３に含まれる印刷処理部３０１は、無端状移動手段である搬送ベルト１１に沿って各色の感光体ドラム１２Ｙ、１２Ｍ、１２Ｃ、１２Ｋ（以降、総じて感光体ドラム１２とする）が並べられた構成を備えるものであり、所謂タンデムタイプといわれるものである。すなわち、給紙トレイ１３から給紙される用紙（記録媒体の一例）に転写するための中間転写画像が形成される中間転写ベルトである搬送ベルト１１に沿って、この搬送ベルト１１の搬送方向の上流側から順に、感光体ドラム１２Ｙ、１２Ｍ、１２Ｃ、１２Ｋが配列されている。
【００４１】
各色の感光体ドラム１２の表面においてトナーにより現像された各色の画像が、搬送ベルト１１に重ね合わせられて転写されることによりフルカラーの画像が形成される。そのようにして搬送ベルト１１上に形成されたフルカラー画像は、図中に破線で示す用紙の搬送経路と最も接近する位置において、転写ローラ１４の機能により、経路上を搬送されてきた用紙の紙面上に転写される。
【００４２】
紙面上に画像が形成された用紙は更に搬送され、定着ローラ１５にて画像を定着された後、検査装置４に搬送される。また、両面印刷の場合、片面上に画像が形成されて定着された用紙は反転パス１６に搬送され、反転された上で再度転写ローラ１４の転写位置に搬送される。
【００４３】
読取装置４００は、検査装置４内部における用紙の搬送経路において、印刷処理部３０１から搬送された用紙の夫々の面を読み取り、読取画像を生成して検査装置４内部の情報処理装置によって構成される読取画像取得部４０１に出力する。また、読取装置４００によって紙面が読み取られた用紙は検査装置４内部を更に搬送され、排紙トレイ４１０に排出される。尚、図５においては、検査装置４における用紙の搬送経路において、用紙の片面側にのみ読取装置４００が設けられている場合を例としているが、用紙の両面の検査を可能とするため、用紙の両面側に夫々読取装置４００を配置しても良い。
【００４４】
次に、本実施形態に係るマスター画像処理部４０２の機能構成について説明する。図６は、マスター画像処理部４０２内部の構成を示すブロック図である。図６に示すように、マスター画像処理部４０２は、少値多値変換処理部４２１、解像度変換処理部４２２、色変換処理部４２３及び画像出力処理部４２４を含む。尚、本実施形態に係るマスター画像処理部４０２は、図２において説明した専用デバイス８０、即ち、ＡＳＩＣとして構成されたハードウェアが、ソフトウェアの制御に従って動作することにより実現される。
【００４５】
少値多値変換処理部４２１は、有色／無色で表現された二値画像に対して少値／多値変換処理を実行して多値画像を生成する。本実施形態に係るビットマップデータは、プリントエンジン３に入力するための情報であり、プリントエンジンはＣＭＹＫ（Ｃｙａｎ，Ｍａｇｅｎｔａ，Ｙｅｌｌｏｗ，ｂｌａｃＫ）各色二値の画像に基づいて画像形成出力を実行する。これに対して検査対象の画像である読取画像は、基本三原色であるＲＧＢ（Ｒｅｄ，Ｇｒｅｅｎ，Ｂｌｕｅ）各色多階調の多値画像であるため、少値多値変換処理部４２１により先ず二値画像が多値画像に変換される。多値画像としては、例えばＣＭＹＫ各８ｂｉｔで表現された画像を用いることができる。
【００４６】
少値多値変換処理部４２１は、少値／多値変換処理として、８ｂｉｔ拡張処理、平滑化処理を行う。８ｂｉｔ拡張処理は、０／１の１ｂｉｔであるデータを８ｂｉｔ化し、「０」は「０」のまま、「１」は「２５５」に変換する処理である。平滑処理は、８ｂｉｔ化されたデータに対して平滑化フィルタを適用し、画像を平滑化する処理である。
【００４７】
尚、本実施形態においては、プリントエンジン３がＣＭＹＫ各色二値の画像に基づいて画像形成出力を実行する場合を例とし、マスター画像処理部４０２に少値多値変換処理部４２１が含まれる場合を例とするが、これは一例である。即ち、プリントエンジン３が多値画像に基づいて画像形成出力を実行する場合は、少値多値変換処理部４２１は省略可能である。
【００４８】
また、プリントエンジン３が１ｂｉｔではなく２ｂｉｔ等の少値の画像に基づいて画像形成出力を行う機能を有する場合もあり得る。その場合、８ｂｉｔ拡張処理の機能を変更することにより対応することができる。即ち、２ｂｉｔの場合、階調値は０、１、２、３の４値である。従って、８ｂｉｔ拡張に際しては、「０」は「０」、「１」は「８５」、「２」は「１７０」、「３」は「２５５」に変換する。
【００４９】
解像度変換処理部４２２は、少値多値変換処理部４２１によって生成された多値画像の解像度を、検査対象の画像である読取画像の解像度に合わせるように解像度変換を行う。本実施形態においては、読取装置４００は２００ｄｐｉの読取画像を生成するため、解像度変換処理部４２２は、少値多値変換処理部４２１によって生成された多値画像の解像度を２００ｄｐｉに変換する。また、本実施形態に係る解像度変換処理部４２２は、解像度変換に際して、印刷処理部３０１によって出力される用紙の収縮等を考慮して予め定められた倍率に基づいて解像度変換後の画像のサイズを調整する。
【００５０】
色変換処理部４２３は、解像度変換処理部４２２によって解像度が変換された画像を取得して階調変換及び色表現形式の変換を行う。階調変換処理は、印刷処理部３０１によって紙面上に形成される画像の色調及び読取装置４００によって読み取られて生成される画像の色調に、マスター画像の色調を合わせるための色調の変換処理である。
【００５１】
このような処理は、例えば、様々な階調色のカラーパッチを含む画像が印刷処理部３０１によって紙面上に形成され、その用紙を読み取って生成された読取画像における各カラーパッチの階調値と、夫々のカラーパッチを形成するための元の画像における階調値とが関連付けられた階調変換テーブルを用いて行われる。即ち、色変換処理部４２３は、このような階調変換テーブルに基づき、解像度変換処理部４２２が出力した画像の各色の階調値を変換する。
【００５２】
色表現形式の変換処理は、ＣＭＹＫ形式の画像をＲＧＢ形式の画像に変換する処理である。上述したように、本実施形態に係る読取画像はＲＧＢ形式の画像であるため、色変換処理部４２３は、階調変換処理のされたＣＭＹＫ形式の画像をＲＧＢ形式に変換する。この色表現形式の変換処理は、ＲＧＢ形式の各色の値をＣＭＹＫ形式の各色の値に基づいて算出するための計算式を用いて実行される場合の他、上述した階調変換処理と同様に、ＣＭＹＫ形式の値とＲＧＢ形式の値とが関連付けられた変換テーブルに基づいて実行される。
【００５３】
尚、ＣＭＹＫ形式の値とＲＧＢ形式の値とが関連付けられた変換テーブルであって、上述した階調変換が考慮された変換テーブルを用いることにより、上述した階調変換及び色表現形式の変換を同時に実行することも可能である。そのような処理により、処理負荷を低減することが可能である。
【００５４】
色変換処理部４２３までの処理により、画素毎にＲＧＢ各色８ｂｉｔ（合計２４ｂｉｔ）で表現された２００ｄｐｉの多値画像が生成される。このようにして生成された画像がマスター画像として用いられる。
【００５５】
画像出力処理部４２４は、色変換処理部４２３までの処理によって生成されたマスター画像を出力する。これにより、検査制御部４０３が、マスター画像処理部４０２からマスター画像を取得する。
【００５６】
次に、本実施形態に係る検査制御部４０３の機能構成について説明する。図７は、本実施形態に係る検査制御部４０３の機能構成を示すブロック図である。また、図８は、本実施形態に係る検査制御部４０３による１ページ分の画像検査の動作を示すフローチャートである。図７に示すように、本実施形態に係る検査制御部４０３は、情報入力部４３１、差分画像取得部４３２、欠陥判定部４３３、コントローラ通信部４３４及び階調特性判定部５００を含む。
【００５７】
本実施形態に係る検査制御部４０３においては、図８に示すように、まず情報入力部４３１が、マスター画像処理部４０２からマスター画像を取得し（Ｓ８０１）、読取画像取得部４０１から読取画像を取得する（Ｓ８０２）。Ｓ８０１の処理とＳ８０２の処理とは前後関係に制約はないため、逆の順序で実行されても良いし並列して実行されても良い。
【００５８】
マスター画像及び読取画像を取得した情報入力部４３１は、図４において説明したように、マスター画像及び読取画像から夫々所定範囲の画像を抽出して比較検査部４０４に入力することにより、比較検査部４０４に画像の比較検査を実行させる（Ｓ８０３）。
【００５９】
Ｓ８０３の処理により、読取画像を構成する各画素とマスター画像を構成する各画素との差分値を示す差分画像が生成され、生成された差分画像を差分画像取得部４３２が取得する。差分画像取得部４３２が取得した差分画像に基づき、欠陥判定部４３３によって欠陥判定が実行される（Ｓ８０４）。
【００６０】
Ｓ８０４においては。欠陥判定部４３３が、差分画像を構成する各画素の値と予め設定された閾値とを比較することにより、夫々のページに欠陥が含まれるか否かを判定する。また、欠陥として判定された画素のラベリング処理等を行うことにより、欠陥位置の特定や、欠陥種類の特定等を行って欠陥判定の結果を示す情報を生成する。
【００６１】
また、階調特性判定部５００が、情報入力部４３１から読取画像及びマスター画像を取得し、階調特性判定を行う（Ｓ８０５）。Ｓ８０５における階調特性判定処理については後に詳述する。尚、Ｓ８０３、Ｓ８０４の処理とＳ８０５の処理とは、逆の順番で実行されても良いし、平行して実行されても良い。欠陥判定処理及び階調特性判定処理が完了すると、コントローラ通信部４３４が、欠陥判定結果及び階調特性判定結果に基づいて再印刷要求や階調特性の経時変化通知等のエンジン制御を実行する（Ｓ８０６）。このような処理により、本実施形態に係る画像検査動作が完了する。
【００６２】
次に、Ｓ８０５の階調特性判定動作について説明する。図９は、本実施形態に係る階調特性判定部５００の詳細な機能構成を示すブロック図である。図９に示すような機能ブロックを構成するためのプログラムが、本実施形態に係る装置状態を判断するための画像処理プログラムとして用いられる。
【００６３】
情報入力部４３１から階調特性判定部５００に対して読取画像及びマスター画像が入力される。入力された読取画像及びマスター画像は、網点階調算出部５０１及び情報取得部５０２に夫々入力される。
【００６４】
網点階調算出部５０１は、網点階調を算出する。網点階調とは、網点率に応じた階調値である。従って、網点階調算出部５０１は、解析対象であるマスター画像を解析して、画像中の位置毎に夫々網点率を求めると共に、読取画像を解析して画像中の位置毎に夫々階調値を求める。そして、マスター画像から求められた網点率と、対応する読取画像中の位置から求められた階調値とを関連付けて網点階調を求める。
【００６５】
情報取得部５０２は、本実施形態に係る特徴的な処理として擬似階調値の算出のための制御を行う。疑似階調値とは、有色画素に隣接する白画素の数に基づいて疑似的に網点率を表現する値である。そのため、情報取得部５０２は、入力されたマスター画像から所定範囲の画像を抽出して解析単位画像として隣接値算出部５０４に入力すると共に、その画像と位置合わせされた範囲を読み取り画像から抽出して濃度値算出部５０３に入力する。本実施形態に係る解析単位画像は、例えば縦横８画素、合計６４画素の画像である。
【００６６】
濃度値算出部５０３は、入力された読取画像を構成する各画素の画素値を合計して階調値を算出する。この階調値は、入力された読取画像の濃度に関する値であり、他に輝度値、明度値等を用いることが出来る。
【００６７】
隣接値算出部５０４は本実施形態に係る特徴的な処理を行うモジュールの１つである。隣接値算出部５０４は、入力されたマスター画像のうち、色の乗らない無地の画素であって且つ有色の画素に隣接している画素の数について、有色画素の数に対する割合を隣接率として求める。
【００６８】
解析値取得部５０５は、濃度値算出部５０３及び隣接値算出部５０４から夫々算出結果を取得し、隣接率と階調値との組を１組のパラメータとして管理する。この１組のパラメータが解析値として用いられる。このパラメータが有する意味が、本実施形態に係る特徴の１つである。このパラメータが有する意味について、以下に説明する。
【００６９】
図１０〜図１２は、本実施形態に係る隣接率の意義を説明するための図であり、情報取得部５０２から隣接値算出部５０４に入力される所定範囲の画像の例を示す図である。図１０〜図１２においては、斜線を付した範囲が有色画素である。本実施形態に係る大元の目的は、網点階調を算出することによりプリントエンジン３の階調特性を判断することである。
【００７０】
網点階調の判断手法は、一様な網点率で形成されたことを前提とした画像の読取結果の濃度を判断する手法が一般的である。この場合、ある程度の広さに渡って一様な網点率を有するパッチを印刷出力して読み取る必要がある。従って、線によって描画された図形や文字等の線画主体の画像では、階調特性の判断が難しい。
【００７１】
これに対して、網点階調の階調特性は、無地画素と有色画素との境界において特に大きく影響する。従って、所定範囲の画像において無地画素と有色画素との境界に位置する画像の数と有色画素の数との割合を“隣接率”というパラメータとして、隣接率に応じた階調値を解析することにより擬似的な階調特性を判断することが本実施形態に係る要旨の１つである。
【００７２】
図１０は、８×８の範囲に３つの有色画素が含まれる場合の例を示す図である。この場合、図中に破線で囲って示すように、有色画素に隣接する隣接画素の数は１２画素である。従って、上述した隣接率は１２／３＝４で、「４」となる。
【００７３】
図１１は、８×８の範囲に２×３で６つの有色画素が含まれる場合の例を示す図である。この場合、図中に破線で囲って示すように、有色画素に隣接する隣接画素の数は１４画素である。従って、上述した隣接率は１４／６≒２．３３で、「２．３３」となる。
【００７４】
図１２は、８×８の範囲に３×３で９つの有色画素が含まれる場合の例を示す図である。この場合、図中に破線で囲って示すように、有色画素に隣接する隣接画素の数は１６画素である。従って、上述した隣接率は１６／９≒１．７８で、「１．７８」となる。このように、本実施形態に係る“隣接率”は、解析単位画像に含まれる画素のうち、有色画素に隣接する白画素の数に応じた値である。この値が、疑似階調値における網点率に対応した値として用いられる。
【００７５】
情報取得部５０２は、マスター画像の全範囲を解析単位画像として選択して上述した１組のパラメータの算出を繰り返し実行させる。その結果、“隣接率”が同一であるパラメータが複数算出される場合もあり得るが、同一の“隣接率”に関連付けられている階調値が同一になるとは限らない。
【００７６】
従って、解析値取得部５０５は、“隣接率”が同一であるパラメータに含まれる階調値を平均処理部５０６に入力して平均値を算出させる。これにより、複数の“隣接率”に対して夫々の階調値が関連付けられたパラメータが生成されることとなる。このようにして生成されたパラメータはページ単位管理部５０７に入力される。
【００７７】
ページ単位管理部５０７は、解析用の画像に基づいて生成されたページ単位のパラメータを相関関係解析部５０８に入力する。相関関係解析部５０８は、網点階調算出部５０１によって算出された網点率毎の階調値と、ページ単位の擬似階調値とを比較し、両者の相関関係を解析する。そのようにして解析された網点階調と擬似階調との相関関係は状態変化推定部５０９に入力され、状態変化推定部５０９によって保持される。
【００７８】
つまり、本実施形態に係る階調特性判定部５００においては、解析用の画像に基づいて網点階調算出部５０１が、網点率に応じた階調値を算出すると共に、上述した擬似階調値のパラメータが生成される。そして、そのようにして算出された情報に基づき、網点階調値の経時変化と、疑似階調値の経時変化との相関関係が算出される。
【００７９】
上述した解析用の画像とは、少なくとも網点階調を解析可能な画像であり、そのため、同一の網点率で形成された所定範囲以上のパッチを含む画像である。そのような解析用の画像についての網点階調及び擬似階調の解析により、上述した相関関係を算出することが可能となる。
【００８０】
ページ単位管理部５０７は、上述したように相関関係が解析された後の通常動作においては、ページ単位のパラメータを状態変化推定部５０９に入力する。状態変化推定部５０９は、ページ単位管理部５０７から入力されるページ単位の擬似階調値のパラメータに基づき、上述した相関関係の情報に応じてプリントエンジン３の階調特性を推定してその結果を出力する。
【００８１】
次に、本実施形態に係る階調特性判定部５００の動作について図１３のフローチャートを参照して説明する。図１３に示すように、まずは情報取得部５０２が、入力されたマスター画像について解析対象の８×８の枠を設定する（Ｓ１３０１）。設定された枠内のマスター画像の情報は、解析単位画像として隣接値算出部５０４に入力される。
【００８２】
隣接値算出部５０４は、入力された解析単位画像を構成する画素を１つ、対象画素として参照し（Ｓ１３０２）、その画素が白画素か否か判定する（Ｓ１３０３）。本実施形態に係るマスター画像は、ＲＧＢ各色「０」〜「２５５」の値を有する２５６階調の画像である。Ｓ１３０３において隣接値算出部５０４は、このＲＧＢ各色の階調値に基づいて白画素か否かを判断する。
【００８３】
Ｓ１３０３の判断においては、例えばＲＧＢすべてが「２５５」である、完全に白であることを示す画素か否かを判断しても良いし、白と判断する範囲に多少の範囲を持たせても良い。白と判断する範囲に多少の範囲を持たせる場合、例えばＲＧＢすべての値に対して閾値を設定し、ＲＧＢすべての階調値が閾値を超えていれば白画素と判断する。
【００８４】
Ｓ１３０３の判断の結果、対象の画素が白画素であると判断した場合（Ｓ１３０３／ＹＥＳ）、隣接値算出部５０４は、次に対象画素に隣接する縦横斜め８画素を参照し、有色画素が存在するか否かを判断する（Ｓ１３０４）。有色画素の判断に際しては、白画素でなければ有色画素と判断しても良いし、ある程度の濃度を有する場合に有色画素と判断しても良い。
【００８５】
Ｓ１３０４の判断の結果、隣接画素が有色であった場合（Ｓ１３０４／ＹＥＳ）、隣接値算出部５０４は、選択中の画素が図１０〜図１２において説明した解析対象の画素であると判断し、有色の画素に隣接している画素の数ａの値をインクリメントしてカウントする（Ｓ１３０５）。他方、隣接画素が有色ではなかった場合（Ｓ１３０４／ＮＯ）、隣接値算出部５０４はそのまま次の処理に進む。
【００８６】
他方、Ｓ１３０３において白画素ではないと判断した場合、隣接値算出部５０４は、有色画素数ｂの値をインクリメントする（Ｓ１３０６）。隣接値算出部５０４は、Ｓ１３０２〜Ｓ１３０６までの処理を、選択中の解析単位画像が終了するまで繰り返し実行する（Ｓ１３０７／ＮＯ）。そして、選択中の解析単位画像について処理を完了すると、ａ／ｂの値を算出する（Ｓ１３０８）。この値が隣接率であり、上述した擬似階調値のパラメータとして用いられる。換言すると、Ｓ１３０８において算出される値は、有色画素に隣接する白画素数の、有色画素に対する割合であり、隣接値として用いられる。
【００８７】
１つの解析単位画像についての計算の終了に伴い、情報取得部５０２は、選択中の解析単位画像に位置合わせされた位置の読取画像を濃度値算出部５０３に入力する。これにより、濃度値算出部５０３は、入力された読取画像に含まれる画素の階調値を合計した合計階調値を算出する（Ｓ１３０９）。このようにして生成された隣接率と合計階調値との組が、上述したパラメータとして用いられる。
【００８８】
情報取得部５０２は、入力された１ページ分のマスター画像の全範囲についてＳ１３０１からの処理が終了するまで処理を繰り返す（Ｓ１３１０／ＮＯ）。そして、１ページ分のマスター画像について処理が終了したら（Ｓ１３１０／ＹＥＳ）、処理を終了する。
【００８９】
図１４は、このような動作により算出されたパラメータ値について、隣接率を横軸に、疑似階調値を縦軸にとったプロットと、網点階調算出部５０１によって算出された網点階調について、網点率を横軸に、階調値を縦軸にとったプロットとを比較する図である。図１４に示すように、プリントエンジン３による印刷出力の枚数が１枚、１００枚、１０００枚と増えていくにつれて、網点階調の階調値も、疑似階調値も下降していく。図１４においては、１枚におけるプロットを１００枚、１０００枚において小さな点で示している。
【００９０】
相関関係解析部５０８は、図１５に示すように、印刷出力枚数に応じた擬似階調値の変化値ΔＹａ１、ΔＹａ２・・・を算出して平均値ΔＹａを求める。また、網点階調の階調値の変化値ΔＹｂ１、ΔＹｂ２・・・を算出して平均値ΔＹｂを求める。そして、相関関係解析部５０８は、同一の印刷出力枚数の変化量において求められたΔＹａ、ΔＹｂを１組として、印刷出力の枚数に応じて複数のΔＹａ、ΔＹｂの組を求める。
【００９１】
そのようにして求められたΔＹａ、ΔＹｂの組を縦軸、横軸に夫々ΔＹａ、ΔＹｂをとった空間にプロットすると、図１６に示すようなグラフが得られる。このようなプロットに対して近似式を得ることにより、ΔＹａの変化に応じたΔＹｂの変化を推定することが可能となる。即ち、相関関係解析部５０８は、ΔＹａの変化に対するΔＹｂの変化を求める近似式を、相関関係の情報として求める。このようにして得られた近似式が、状態変化推定部５０９によって保持される。
【００９２】
以降、階調特性判定部５００においては、図１３において説明した動作により、ページ単位の擬似階調のパラメータを生成する。そのようにして生成されたページ単位の擬似階調のパラメータは上述したΔＹａとして状態変化推定部５０９に入力される。状態変化推定部５０９が、図１６に示すようなプロットの近似式に基づき、入力されたΔＹａに基づいてΔＹｂを求めることにより、プリントエンジン３の階調特性の変化を推定する。
【００９３】
以上説明したように、本実施形態に係る検査装置４は、マスター画像において有色画素に隣接している白画素の数に応じて定められた“隣接率”に応じた階調値を求める機能を有する。この隣接率に応じた階調値の変化は、装置の経時変化に伴う階調特性の変化において、網点階調の階調値の変化との相関関係が強い。従って、そのような相関関係を把握することにより、隣接率に応じた階調値の変化に基づいてプリントエンジン３の階調特性を判断することが可能である。
【００９４】
そして、網点階調の階調値を求める場合には、所定の広さ以上にわたって同一の網点率で形成されたパッチの読み取り結果が必要であるが、この隣接率に応じた階調値であれば、そのような制約がなく、線画主体の画像からでも求めることが可能である。従って、本実施形態に係る方法を用いることにより、線画主体の画像からであっても、プリントエンジン３の階調特性を求めることが可能である。
【００９５】
尚、上記実施形態においては、図１４等に示す擬似階調に対する横軸の値として、有色画素に隣接する白画素の数を有色画素数で割った値を用いる場合を例として説明した。しかしながらこれは一例であり、この横軸の値の趣旨は、同一の網点率で形成された所定の広さ以上の画像領域がないために網点率を求めることが困難な場合において、網点率の代わりに用いられる値である。
【００９６】
そして、同一の網点率における階調特性の変化は、有色画素に隣接する白画素の濃度による影響が最も大きいという趣旨に基づき、本実施形態においては有色画素に隣接する白画素の数を主として用いている。従って、最終的な横軸の値は、有色画素に隣接する白画素の数を有色画素の数で割った値に限らず、有色画素に隣接する白画素の数に応じた値であれば他の態様であっても適用可能である。
【００９７】
但し、解析単位画像に含まれる画素の階調値の合計値は、元の画像における有色画素の数が多い程大きくなる。従って、上述した態様とは異なる態様で図１４の横軸に対応する値を求める場合であっても、有色画素の数を考慮することにより、好適な解析を行うことが可能となる。
【００９８】
また、上記実施形態においては、読取画像とマスター画像とを比較することにより画像が意図した通り形成されているか否かを判断する検査装置４において階調特性判定部５００が設けられている場合を例として説明した。これは、上述したようにマスター画像及び読取画像を用いるという点で効率的な構成であるが必須ではなく、階調特性判定部５００の機能を有する画像処理装置を検査装置４とは別個に設けても良い。その場合であっても、マスター画像及び読取画像が入力されることにより、上記と同様の機能を実現可能である。
【００９９】
また、上記実施形態において濃度値算出部は、解析単位画像に含まれる画素の階調値を全て合計して擬似階調値を算出する態様を例として説明した。しかしながらこれは一例であり、解析単位画像に対して位置合わせされた領域における読取画像の濃度に関連する値を得られるのであれば、他の態様であっても良い。
【符号の説明】
【０１００】
１  ＤＦＥ
２  エンジンコントローラ
３  プリントエンジン
４  検査装置
５  インタフェース端末
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１１  搬送ベルト
１２、１２Ｙ、１２Ｍ、１２Ｃ、１２Ｋ  感光体ドラム
１３  給紙トレイ
１４  転写ローラ
１５  定着ローラ
１６  反転パス
１０１  ジョブ情報処理部
１０２  ＲＩＰ処理部
２０１  データ取得部
２０２  エンジン制御部
２０３  ビットマップ送信部
３０１  印刷処理部
４００  読取装置
４０１  読取画像取得部
４０２  マスター画像処理部
４０３  検査制御部
４０４  比較検査部
４１０  排紙トレイ
４２１  少値多値変換処理部
４２２  解像度変換処理部
４２３  色変換処理部
４２４  画像出力処理部
４３１  情報入力部
４３２  差分画像取得部
４３３  欠陥判定部
４３４  コントローラ通信部
５００  階調特性判定部
５０１  網点階調算出部
５０２  情報取得部
５０３  濃度値算出部
５０４  隣接値算出部
５０５  解析値取得部
５０６  平均処理部
５０７  ページ単位管理部
５０８  相関関係解析部
５０９  状態変化推定部
【先行技術文献】
【特許文献】
【０１０１】
【特許文献１】特開平３−４４５４２号公報
【図１】
0006565575.tif 000002
【図２】
0006565575.tif 000003
【図３】
0006565575.tif 000004
【図４】
0006565575.tif 000005
【図５】
0006565575.tif 000006
【図６】
0006565575.tif 000007
【図７】
0006565575.tif 000008
【図８】
0006565575.tif 000009
【図９】
0006565575.tif 000010
【図１０】
0006565575.tif 000011
【図１１】
0006565575.tif 000012
【図１２】
0006565575.tif 000013
【図１３】
0006565575.tif 000014
【図１４】
0006565575.tif 000015
【図１５】
0006565575.tif 000016
【図１６】
0006565575.tif 000017